(57)【特許請求の範囲】
【請求項１】
基礎面に着脱対象品を固定するワンタッチ固定具であって、
前記基礎面に固定されて引掛け受部を有して前記基礎面から突出する錐形の突起部材と、
前記突起部材をケース底部から突出させるキャップ据付具及びこのキャップ据付具にスライド回転可能に嵌め合わせられるレバーキャップで構成されるレバーケースと、
前記レバーケースの外側側面に設けられて前記着脱対象品を前記レバーケースに固定させる固定機構と、
前記レバーケースに一端が固定されて前記引掛け受部に押し当てられる引掛け部と、
前記レバーケースに一端が固定されて前記突起部材の錐形面に弾性を有して押し当てられる押当部と、
前記レバーキャップに内設され前記スライド回転で前記引掛け部を弾性変形させて前記引掛け受部への当接を解除する掛外し爪と、を備えることを特徴とするワンタッチ固定具。
【請求項２】
前記引掛け受部は、前記突起部材の首部がくびれて形成される請求項１に記載のワンタッチ固定具。
【請求項３】
前記引掛け部は、支軸の異なる軸支部を２つ有するダブルトーションばねのばね腕の一方であり、
前記押当部は、前記ダブルトーションばねの他方のばね腕であり、
前記引掛け部と前記押当部とは、交差して前記突起部材に押し当てられる請求項１又は請求項２に記載のワンタッチ固定具。
【請求項４】
前記ダブルトーションばねの２つの支軸部は、同じ方向に巻き回されて形成される請求項３に記載のワンタッチ固定具。
【請求項５】
基礎面に着脱対象品を固定するワンタッチ固定具を備えるフロアマットであって、
前記基礎面から突出する突起部材をケース底部から突出させる錐形のキャップ据付具と、
前記突起部材をケース底部から突出させるキャップ据付具及びこのキャップ据付具にスライド回転可能に嵌め合わせられるレバーキャップで構成されるレバーケースと、
前記レバーケースの外側側面に設けられて前記着脱対象品を前記レバーケースに固定させる固定機構と、
前記レバーケースに一端が固定されて前記突起部材が有する引掛け受部に押し当てられる引掛け部と、
前記レバーケースに一端が固定されて前記突起部材の錐形面に弾性を有して押し当てられる押当部と、
前記レバーキャップに内設され前記スライド回転で前記引掛け部を弾性変形させて前記引掛け受部への当接を解除する掛外し爪と、を備えることを特徴とするフロアマット。
【請求項６】
請求項１から請求項４のいずれか１項に記載のワンタッチ固定具を備える鞄。
【請求項７】
請求項１から請求項４のいずれか１項に記載のワンタッチ固定具を備えるベルト。
【発明の詳細な説明】
【技術分野】
【０００１】
本発明の実施形態は、物品を所定位置に固定する固定技術に関する。
【背景技術】
【０００２】
自動車内や屋内等では、カーペットが汚れることを防ぐために、カーペット上面にさらにフロアマットが敷かれることが多い。カーペットに敷設されたフロアマットのずれを防止するため、従来から様々なフロアマットの固定構造が提案されている。
また、フロアマット以外でも、鞄の蓋や壁掛け、射影スクリーンなど特定の箇所に度々脱着することが想定されるものは、脱着の繰り返しが容易な固定構造を有していることが望まれる。
【先行技術文献】
【特許文献】
【０００３】
【特許文献１】特開２０１９−０２６２３０号公報
【発明の概要】
【発明が解決しようとする課題】
【０００４】
上述したような脱着の繰り返しを想定した固定構造では、できるだけ簡素で着脱がワンタッチで行いうることが望ましい。
【０００５】
本発明はこのような事情を考慮してなされたもので、構造が簡素でワンタッチで着脱ができるワンタッチ固定具及びフロアマットを提供することを目的とする。
【課題を解決するための手段】
【０００６】
本実施形態に係るワンタッチ固定具は、基礎面に着脱対象品を固定するワンタッチ固定具であって、前記基礎面に固定されて引掛け受部を有して前記基礎面から突出する錐形の突起部材と、前記突起部材をケース底部から突出させるキャップ据付具及びこのキャップ据付具にスライド回転可能に嵌め合わせられるレバーキャップで構成されるレバーケースと、前記レバーケースの外側側面に設けられて前記着脱対象品を前記レバーケースに固定させる固定機構と、前記レバーケースに一端が固定されて前記引掛け受部に押し当てられる引掛け部と、前記レバーケースに一端が固定されて前記突起部材の錐形面に弾性を有して押し当てられる押当部と、前記レバーキャップに内設され前記スライド回転で前記引掛け部を弾性変形させて前記引掛け受部への当接を解除する掛外し爪と、を備えるものである。
【０００７】
本実施形態に係るフロアマットは、基礎面に着脱対象品を固定するワンタッチ固定具を備えるフロアマットであって、前記基礎面から突出する突起部材をケース底部から突出させる錐形のキャップ据付具と、前記突起部材をケース底部から突出させるキャップ据付具及びこのキャップ据付具にスライド回転可能に嵌め合わせられるレバーキャップで構成されるレバーケースと、前記レバーケースの外側側面に設けられて前記着脱対象品を前記レバーケースに固定させる固定機構と、前記レバーケースに一端が固定されて前記突起部材が有する引掛け受部に押し当てられる引掛け部と、前記レバーケースに一端が固定されて前記突起部材の錐形面に弾性を有して押し当てられる押当部と、前記レバーキャップに内設され前記スライド回転で前記引掛け部を弾性変形させて前記引掛け受部への当接を解除する掛外し爪と、を備えるものである。
【発明の効果】
【０００８】
本発明により、構造が簡素でワンタッチで取り外しができるワンタッチ固定具、及びフロアマットが提供される。
【図面の簡単な説明】
【０００９】
【図１】実施形態に係るワンタッチ固定具を備えるフロアマットを示す斜視図。
【図２】実施形態に係るワンタッチ固定具をレバーキャップの回転軸を通る縦断面で切断した側面断面図。
【図３】ブラケットをカーペットに取り付けた時の図。
【図４】レバーアセンブリからキャップ据付具裏座を除いて図１とは反対側からみた斜視図。
【図５】キャップ据付具に取り付けられるキャップ据付具裏座の斜視図。
【図６】レバーキャップを取り除いて示すレバーアセンブリの斜視図。
【図７】（Ａ）ロック時のワンタッチ固定具の上面図、（Ｂ）ロック時のワンタッチ固定具で仕切りよりのカーペット側の配置状態を示す構成図。
【図８】（Ａ）ロック解除時のワンタッチ固定具の上面図、（Ｂ）ロック解除時のワンタッチ固定具で仕切りよりのカーペット側の配置状態を示す構成図。
【図９】（Ａ）実施形態に係るワンタッチ固定具を備えるバッグを示す斜視図、（Ｂ）同・キャリーケースを示す斜視図。
【図１０】（Ａ）実施形態に係るワンタッチ固定具を備えるランドセルを示す斜視図、（Ｂ）同・ベルトを示す斜視図、（Ｃ）同・手帳を示す斜視図。
【発明を実施するための形態】
【００１０】
以下、本発明の実施形態を添付図面に基づいて説明する。
以下の実施形態では、本発明に係るワンタッチ固定具について自動車のフロアマットに取り付けた例で説明する。なお、以下の実施形態において、上下の表現はフロアマットを車内に敷いた状態を基準にしたもので、カーペット側が下方になる。
【００１１】
まず、図１を用いて、実施形態に係るワンタッチ固定具１０を備えるフロアマット１００について概説する。
実施形態に係るフロアマット１００には、図１に示されるように、ワンタッチ固定具１０の一部を構成するレバーアセンブリ１１が固定される。
【００１２】
レバーアセンブリ１１は、キャップ据付具１２にレバーキャップ１３が嵌め合わされて構成されるレバーケースと、このレバーケースの内部機構、及びその付属機構で構成される。
レバーキャップ１３の仕切り１４上面に設けられたつまみリブ１６を回転軸Ｃ周りに所定角度回転させると、カーペット１７（図３）などの基礎面からフロアマット１００がレバーアセンブリ１１ごと浮き上がり取り外される。
【００１３】
以下、図２〜図６を用いてワンタッチ固定具１０の構造について詳述する。
図２は、実施形態に係るワンタッチ固定具１０を回転軸Ｃを通る縦断面で切断した側面断面図である。ただし、図２では、図６等で示されるトーションばね４０の図示は省略されている。
図３は、ブラケット（突起部材）１８を基礎面の一例であるカーペット１７に取り付けた時の図である。
図４は、レバーアセンブリ１１を図１とは反対側からみた斜視図である。
ただし、図４では、図５のキャップ据付具裏座１９の図示は省略している。
図５は、キャップ据付具１２に取り付けられるキャップ据付具裏座１９の斜視図である。
【００１４】
まず、図２に示されるように、フロアマット１００の下には、カーペット１７が敷かれている。
カーペット１７は、中央部付近が穿孔されてブラケット裏座２１の円筒部２２がカーペット１７の裏側から嵌め込まれる。
【００１５】
この円筒部２２には、ブラケット１８の支柱部２３が嵌まり込み、それぞれ対向面に設けられた雄雌の係止溝で互いに固定される。
カーペット１７は、ブラケット裏座２１及びブラケット１８のスカート部２７で挟持される。カーペット１７がこれらブラケット裏座２１及びスカート部２７のそれぞれに設けられたブラケット爪２６で裏表から噛み込みまれることで、ブラケット１８はカーペット１７に強固に固定される。
【００１６】
カーペット１７の表面からは、図２及び図３に示されるように、スカート部２７に一体形成された錐形頭部２８が突出する。
錐形頭部２８とスカート部２７との間の首部は、くびれて径が小さくなり引掛け受部２９を形成している。
ブラケット１８の錐形頭部２８は、図４に示されるような逆灰皿形状のキャップ据付具１２のケース底部３０に設けられた突出孔３１からレバーアセンブリ１１内に嵌め込まれる。
【００１７】
キャップ据付具１２の外側側面では、開口縁部分が、径方向外向きに広がり、フロアマット留爪３２を有するフランジ（固定機構）１２ａを形成する。
また、キャップ据付具１２の外側側面の底部付近には、図５に示されるような中空円盤形状を有するキャップ据付具裏座（固定機構）１９が嵌まり込み、雌雄の鈎部３６ａ，３６ｂで互いに固定される。
フロアマット１００には、キャップ据付具１２を嵌め込む据付孔が設けられる。この据付孔の周辺部が固定機構１２ａ，１９で裏表から挟持されることで、キャップ据付具１２がフロアマット１００に強固に固定される。
【００１８】
また、レバーアセンブリ１１内では、突出孔３１周辺のケース底部３０に、低台４８ａ及び高台４８ｂで構成される留台が設けられる。なお、留台４８ａ，４８ｂについては、図６で改めて説明する。
【００１９】
また、キャップ据付具１２のケース底部３０には、例えば図４のように４つのスライド孔４２が設けられる。このスライド孔４２には、レバーキャップ１３の４つの脚部のスライド爪４３が掛けられ係止される。スライド爪４３がスライド孔４２の開口範囲内でスライドすることで、レバーキャップ１３がこの開口範囲内でスライド回転可能になる。
【００２０】
また、レバーキャップ１３の側面にはスライド回転とともに回転する掛外し爪４４（図７（Ｂ））が内設される。
また、後述するダブルトーションばね４０（図６）の数に対応させて例えば４本回転軸Ｃ周りに支軸柱４１が設けられる。
仕切り１４は、掛外し爪４４の上部でちょうど支軸柱４１の頭頂部付近に配置される。
【００２１】
次に、図６は、レバーキャップ１３を取り除いて示すレバーアセンブリ１１の斜視図である。
キャップ据付具１２には、図６に示されるように、例えば２つのダブルトーションばね４０が配置される。
実施形態で使用されるダブルトーションばね４０は、ワイヤ４６を巻き回して形成される支軸部４７が異なる支軸を有する。そして、支軸部４７のそれぞれが、支軸柱４１ａ，４１ｂに掛けられる。
【００２２】
ワイヤ４６は、引掛け部となるばね腕４６ａ分を始端側に残して支軸柱４１ａの下端から巻き回される。このワイヤ４６は、支軸柱４１の上端まで到達した後、他の支軸柱４１ｂの下端に再び引き下げられながら延び、支軸柱４１ｂの下端から上端へ巻き回される形状を有する。支軸柱４１ｂの上端からは押当部となる終端側のばね腕４６ｂが延びる。この結果、ワイヤ４６は、支軸部４７で同一方向に巻き回される。また、引掛け部４６ａの先端はレバーキャップ１３側に向かって屈曲して、掛外し爪４４（図７（Ｂ）等）に確実に係止されるように成形される。
【００２３】
そして、ばね腕４６ａ，４６ｂはいずれも、留台４８ａ，４８ｂに、互いに交差するように押し当てられる。
低台４８ａは、錐形頭部２８の下端高さ以下の高さ、即ち引掛け受部２９の高さに設計される。この低台４８ａは、ブラケット１８がキャップ据付具１２内に挿入されたときには、引掛け部４６ａが引掛け受部２９に引っ掛かるように大きさ、位置及び形状が設計される。
【００２４】
高台４８ｂは、錐形頭部２８の下端高さより高い高さに設計される。この高台４８ｂは、ブラケット１８がキャップ据付具１２内に挿入されたときには、押当部４６ｂがブラケット１８の錐形頭部２８に押し当てられるように大きさ、位置及び形状が設計される。
このような留台４８ａ，４８ｂの構成により、レバーアセンブリ１１が完全にブラケット１８に取り付けられた際には、押当部４６ｂはブラケット１８の錐形頭部２８に、引掛け部４６ａはくびれ部の引掛け受部２９に引掛けられることになる。
【００２５】
押当部４６ｂと引掛け部４６ａとは互いに交差しているため、これらのばね腕４６ａ，４６ｂはいずれも広がろうとして交差を解く向きに弾性的な復元力を発生させる。つまり、これらいずれのばね腕４６ａ，４６ｂも、取り付けられた状態ではブラケット１８の回転軸Ｃに向く力（ばね力）を発生させて自然形状に復元しようとする。
【００２６】
押当部４６ｂに回転軸Ｃ側に復元する力が働くと、この押当部４６ｂはブラケット１８の錐形頭部２８から斜面に垂直に抗力を受ける。この抗力は押当部４６ｂを上方に押し上げる力成分を含んでいる。従って、引掛け部４６ａが引掛け受部２９に引っかかっていない場合、ダブルトーションばね４０全体が錐形頭部２８の斜面に沿って上方に滑り上がろうとする。
【００２７】
なお、本実施形態では、ダブルトーションばね４０が単に支軸柱４１に掛けられている場合も、「ばね腕４６ａ，４６ｂは、レバーケース内に固定されている」に含まれるものとする。ダブルトーションばね４０は、当然に上下のレバーケースに接着剤で固定されていてもよい。
【００２８】
また、引掛け部４６ａ及び押当部４６ｂをダブルトーションばね４０のばね腕である例で説明したが、これら引掛け部４６ａ及び押当部４６ｂは、ワイヤ状のものに限定されない。
押当部４６ｂとレバーケースとが連動して回転軸方向に上下シフトするものであれば、押当部４６ｂは引掛け部４６ａと一体的になっている必要はない。
また、引掛け部４６ａも、引掛け受部２９に引っ掛かることで、レバーケースの上方へのシフトを阻止することができれば形状は特に限定されない。
【００２９】
次に、図７（Ａ），（Ｂ）及び図８（Ａ），（Ｂ）を用いて、ロック時及びロック解除時の配置構造及び動作について説明する。
図７（Ａ）は、ロック時のワンタッチ固定具１０の上面図である。図７（Ｂ）は、ロック時のワンタッチ固定具１０で仕切り１４よりの下側（カーペット１７側）の配置状態を示す図である。
【００３０】
図７（Ｂ）に示されるように、引掛け部４６ａ先端の屈曲部４６ａ１には、掛外し爪４４が掛けられている。
このとき、引掛け部４６ａは、くびれ部の引掛け受部２９に引っかかっているため、レバーアセンブリ１１はブラケット１８に固定される。
【００３１】
一方、図８（Ａ）は、ロック解除時のワンタッチ固定具１０の上面図であり、図８（Ｂ）は、ロック解除時のワンタッチ固定具１０で仕切り１４よりの下側（カーペット１７側）の配置状態を示す図である。
図８（Ａ）のようにつまみリブ１６を右回転させると、図８（Ｂ）のようにレバーキャップ１３とともに掛外し爪４４も屈曲部４６ａ１ごとキャップ据付具１２に対し回転する。
【００３２】
すると、引掛け部４６ａが引掛け受部２９から外されて、ダブルトーションばね４０を錐形頭部２８に沿って上方に押し上げようとする力に対する抗力がなくなる。この結果、押当部４６ｂが広がりながらダブルトーションばね４０を錐形頭部２８の表面上をスライドさせて上方へシフトさせる。ダブルトーションばね４０は、レバーキャップ１３に接触しこのレバーキャップ１３を押し上げる。
よって、最初に述べたように、レバーアセンブリ１１がフロアマット１００ごとブラケット１８から浮き上がるように外れる。
【００３３】
次に、図９（Ａ），（Ｂ）及び図１０（Ａ）〜図１０（Ｃ）を用いて、ワンタッチ固定具１０をフロアマット１００以外の物品に用いた例を説明する。
ワンタッチ固定具１０は、図９（Ａ）ではバッグ５０に、図９（Ｂ）でキャリーケース６０に、図１０（Ａ）ではランドセル７０に、図１０（Ｂ）ではベルト８０に、図（Ｃ）では手帳９０に、取り付けられる。
【００３４】
図９（Ａ）のバッグ５０では、例えば、バッグ本体部５１が基礎面となりブラケット１８が設けられる。そして、バッグ本体部５１の開口部を塞ぐバッグカバー５２にレバーアセンブリ１１が取り付けられて、バッグ本体部５１にバッグカバー５２がワンタッチで着脱可能に固定される。なお、バッグ５０は、ビジネスバッグ、ハンドバッグ、化粧ポーチ等種々のバッグが含まれる。
【００３５】
図９（Ｂ）のキャリーケース６０では、例えば、開口部が突合された２つの開口ケース６０ａ，６０ｂの一方にブラケット１８が設けられる。そして、他方の開口ケース６０ｂから延びるベロ６１にレバーアセンブリ１１が設けられ、開口ケース６０ａ，６０ｂの突合状態を維持する。
なお、キャリーケース６０には、ケース内外に種々の開口部があるため、図９（Ｂ）のようなハンドル６２付近に設ける例に限らず、自由な位置に設けられて開口部を閉じた状態に維持するために用いることができる。
【００３６】
図１０（Ａ）のランドセル７０では、ワンタッチ固定具１０は、ランドセル本体７１の底部で冠７２を固定する錠前として利用されている。
この場合、鍵本体部７３にブラケット１８が設けられ、サガリとしてレバーアセンブリ１１が用いられる。
なお、ランドセル７０には、ランドセル本体７１の内外にも開口部があるため、図１０（Ａ）のようなサガリとしての例に限らず、自由な位置に設けられて開口部を閉じた状態に維持するために用いることができる。なお、ランドセル７０は一例であり、リュックサックやシュラフなど鞄類全般に取り付けることができる。
【００３７】
図１０（Ｂ）のベルト８０では、ベルト皮８１にブラケット１８が設けられ、バックルとしてレバーアセンブリ１１が用いられる。
なお、ベルト８０は一例であり、ワンタッチ固定具１０は、ロープやたすき、シートベルト等の長尺物の固定具としても用いることができる。
図１０（Ｂ）の手帳９０では、手帳カバー９１にブラケット１８が設けられ、手帳留めとしてレバーアセンブリ１１が用いられる。
なお、手帳９０は一例であり、ワンタッチ固定具１０は、ブックカバー、パスポートケース、小物ケース等の収納物の固定具としても用いることができる。
【００３８】
さらに、例えば、鞄の蓋や壁掛け、射影スクリーン、レジャーシート、天板、灯油缶など、度々取り外しをすることが想定される柔軟部材、可撓部材、又は板材等であれば本発明に係るワンタッチ固定具を適用する着脱対象品になりうる。
【００３９】
以上のように、実施形態に係るワンタッチ固定具１０によれば、構造が簡素でワンタッチで着脱ができ、特にレバーキャップ１３を回転操作させるだけで取り外しをすることができる。
【００４０】
本発明の実施形態を説明したが、この実施形態は、例として提示したものであり、発明の範囲を限定することは意図していない。
実施形態は、その他の様々な形態で実施されることが可能であり、発明の要旨を逸脱しない範囲で、種々の省略、置き換え、変更、組み合わせを行うことができる。実施形態やその変形は、発明の範囲や要旨に含まれると同様に、特許請求の範囲に記載された発明とその均等の範囲に含まれるものである。
【符号の説明】
【００４１】
１０…ワンタッチ固定具、１１…レバーアセンブリ、１２…キャップ据付具（レバーケース）、１２ａ…フランジ（固定機構）、１３…レバーキャップ（レバーケース）、１４…仕切り、１６…しぼりリブ、１７…カーペット、１８…ブラケット、１９…キャップ据付具裏座（固定機構）、２１…ブラケット裏座、２２…円筒部、２３…支柱部、２６…ブラケット爪、２７…スカート部、２８…錐形頭部、２９…引掛け受部、３０…ケース底部、３１…突出孔、３２…フロアマット留爪、３６ａ…鈎部、３６ｂ…鈎部、４０…ダブルトーションばね、４１（４１ａ，４１ｂ）…支軸柱、４２…スライド孔、４３…スライド爪、４４…掛外し爪、４６（４６ａ，４６ｂ）…ワイヤ（ばね腕；引掛け部，押当部）、４６ａ１（４６ａ）…屈曲部、４７…支軸部、４８ａ…低台（留台）、４８ｂ…高台（留台）、５０…バッグ、５１…バッグ本体部、５２…バッグカバー、６０…キャリーケース、６０ａ…開口ケース、６０ｂ…開口ケース、６１…ベロ、６２…ハンドル、７０…ランドセル、７１…ランドセル本体、７２…冠、７３…鍵本体部、８０…ベルト、８１…ベルト皮、９０…手帳、９１…手帳カバー、１００…フロアマット、Ｃ…回転軸。
【要約】
【課題】構造が簡素でワンタッチで着脱ができるワンタッチ固定具及びフロアマットを提供する。
【解決手段】  ワンタッチ固定具１０は、基礎面に固定されて引掛け受部２９を有して基礎面から突出する錐形の突起部材２６と、突起部材２６をケース底部から突出させるキャップ据付具１２と、キャップ据付具１２の外側側面に設けられて着脱対象品１００をキャップ据付具１２に固定させる固定機構３９と、キャップ据付具１２に一端が固定されて引掛け受部２９に押し当てられる引掛け部４６ａと、キャップ据付具１２に一端が固定されて突起部材１８の錐形面に弾性を有して押し当てられる押当部４６ｂと、キャップ据付具１２にスライド回転可能に嵌め合わせられるレバーキャップ１３と、レバーキャップ１３に内設されスライド回転で引掛け部４６ａを弾性変形させて引掛け受部２９への当接を解除する掛外し爪と、を備える。
【選択図】  図６【図１】
0006884358.tif 000002
【図２】
0006884358.tif 000003
【図３】
0006884358.tif 000004
【図４】
0006884358.tif 000005
【図５】
0006884358.tif 000006
【図６】
0006884358.tif 000007
【図７】
0006884358.tif 000008
【図８】
0006884358.tif 000009
【図９】
0006884358.tif 000010
【図１０】
0006884358.tif 000011